(57)【要約】      （修正有）【課題】消臭効果を向上可能な太陽電池付きの消臭容器を提供する。【解決手段】容器２と、容器の内部を消臭する消臭装置と、前記消臭装置を駆動するための電力を供給する薄膜太陽電池３を備えた消臭容器１とする。ここで、薄膜太陽電池の集積方向を容器の奥行方向と交差する方向とすることで、光電変換素子４が容器の奥行方向に長い形状となる。したがって、光電変換素子４の容器の手前側の部分に影がかかっても、容器の奥側の部分には影がかからないようにすることができ、一つの光電変換素子の全体に影がかかるのを避けることができるため、電圧の低下を抑制することができるので、消臭装置を効率的に駆動でき、消臭効果の向上を図ることができる。【選択図】図１
2016060587.tif 000002
【特許請求の範囲】
【請求項１】
容器と、容器の内部を消臭する消臭装置と、前記消臭装置を駆動するための電力を供給する薄膜太陽電池を備える消臭容器。
【請求項２】
前記薄膜太陽電池は、複数の光電変換素子を直列接続した集積型太陽電池である、請求項１に記載の消臭容器。
【請求項３】
前記薄膜太陽電池の集積方向は、前記容器の奥行方向に交差する方向である、請求項２に記載の消臭容器。
【請求項４】
前記消臭装置は消臭効果のあるイオンまたはラジカルを発生させる装置である、請求項１から３のいずれかに記載の消臭容器。
【請求項５】
前記容器の開口状態を検知するセンサーを備える、請求項１から４のいずれかに記載の消臭容器。
【発明の詳細な説明】
【技術分野】
【０００１】
本発明は、太陽電池付きの消臭容器に関する。
【背景技術】
【０００２】
特許文献１には、生ごみなどの悪臭発生源を長時間格納しておいても外部に臭いが漏れることがなく、また取り出しの際に容器内に充満した悪臭が作業者に不快感を与えることのない消臭容器として、容器内部の一部あるいは全部が紫外線を含む光線を透過させるガラスまたはプラスチック材質で出来ており、該容器内壁に光触媒塗料の塗膜を塗布した消臭容器が記載されている。また、容器の外面に太陽光電池を設け、該電池で発電した電力で駆動する空気循環ファンや紫外線ランプが内臓された消臭容器が記載されている。
【先行技術文献】
【特許文献】
【０００３】
【特許文献１】特開２０００−１０９２０１号公報
【発明の概要】
【発明が解決しようとする課題】
【０００４】
しかしながら、特許文献１に太陽電池に関する詳細な記載はなく、消臭容器に適した太陽電池について十分な技術的検討がなされていないのが現状である。
【０００５】
そこで、本発明は、上記問題点に鑑みてなされたものであって、消臭効果を向上可能な太陽電池付きの消臭容器を提供することを目的とする。
【課題を解決するための手段】
【０００６】
上記課題を解決するため、本発明は、容器と、容器の内部を消臭する消臭装置と、前記消臭装置を駆動するための電力を供給する薄膜太陽電池を備える消臭容器とする。
【発明の効果】
【０００７】
本発明によれば、消臭容器の消臭効果を向上させることが可能となる。
【図面の簡単な説明】
【０００８】
【図１】実施の形態１の消臭容器の模式的な斜視図である。
【図２】実施の形態２の消臭容器の模式的な斜視図である。
【図３】実施の形態３の消臭容器の模式的な斜視図である。
【図４】実施の形態３の消臭容器の模式的な斜視図である。
【図５】制御装置の概略構成を示す機能ブロック図である。
【図６】実施の形態４の消臭容器の模式的な斜視図である。
【図７】実施の形態４の消臭容器の模式的な斜視図である。
【図８】実施の形態５の消臭容器の模式的な断面図である。
【図９】実施の形態６の消臭容器の模式的な斜視図である。
【図１０】実施の形態７の消臭容器の模式的な斜視図である。
【図１１】実施の形態７の消臭容器の模式的な正面図である。
【発明を実施するための形態】
【０００９】
以下に、本発明の実施形態について図面を参照して説明する。なお、これらの図面において、同一の参照符号は同一部分または相当部分を表すものとする。
【００１０】
＜実施の形態１＞
図１に、実施の形態１の消臭容器の模式的な図を示す。ここで、消臭容器１は、容器２と、容器の内部を消臭する消臭装置（図示せず）と、消臭装置を駆動するための電力を供給する薄膜太陽電池３から構成されている。
【００１１】
容器２の上面には、薄膜太陽電池３が設けられている。薄膜太陽電池とすることで、発電により得られる電圧が高く、消臭装置を駆動させるのに十分な電力を得ることができる。薄膜太陽電池３は、複数の光電変換素子４が直列接続された集積型太陽電池である。集積型太陽電池は、集積する光電変換素子の数を増やすことによって、容易に高電圧化が可能である。
【００１２】
容器２の前面の上部には、開口部５が設けられている。本実施の形態１の消臭容器は、たとえば、ごみ容器として用いられる。ごみなどは開口部５から投入されるため、容器２の手前に人が立つことが想定される。その場合に、容器２の上面に設けられた薄膜太陽電池３には、容器の手前側に影がかかることになる。影がかかることにより、直列接続された複数の光電変換素子の一部に発電しない光電変換素子ができると、電圧が大きく低下する。本実施の形態では、薄膜太陽電池の集積方向は容器の奥行方向と交差する方向である。薄膜太陽電池の直列接続方向である集積方向を容器の奥行き方向と交差する方向とすることで、光電変換素子４は、図１に示されるように容器の奥行方向に長い形状となる。したがって、光電変換素子４の容器の手前側の部分に影がかかっても、容器の奥側の部分には影がかからないようにすることができ、一つの光電変換素子の全体に影がかかるのを避けることができるため、電圧の低下を抑制することができる。よって、後述する消臭装置を効率的に駆動でき、消臭効果の向上を図ることができる。
【００１３】
容器２の内部は、消臭装置を駆動させることにより消臭するので、消臭効果が高く、容器内部の臭いは低減される。消臭装置としては、消臭効果のあるイオンやラジカルを発生させるものを用いることができる。本実施の形態では、消臭装置は消臭効果のあるイオンまたはラジカルを発生させる装置である。消臭効果のある物質を発生させることにより消臭するため、十分な消臭効果を得ることができる。また、除菌効果のあるイオンやラジカルを発生させれば、除菌効果が得られる。本実施の形態の消臭容器をごみ容器として用いる場合には、消臭効果によって、ごみから発生する臭いを低減することができる。また、除菌効果によって、菌の増殖を抑えることもできる。
【００１４】
このように、前述の特許文献１のように容器内壁の光触媒塗料により消臭するのに比較して、消臭効果の向上を図ることができる。
【００１５】
（他の構成および作用）
本実施の形態１の薄膜太陽電池３は上記の構成に限定されず、様々な構成にすることができることは言うまでもない。たとえば、複数の光電変換素子が直列接続されている場合について説明したが、直列、並列、または直列と並列とを組み合わせた電気的接続としてもよい。なお、薄膜太陽電池であれば、シリコン系、ＣＩＳ系、化合物、有機、色素増感型などのいわゆる薄膜太陽電池のすべてが含まれる。薄膜太陽電池は、結晶系に比べて小面積での高電圧化が可能であるため、消臭装置を駆動させる電力を得やすい。
【００１６】
また、本実施の形態１では、薄膜太陽電池３は容器２の上面に設けられているが、容器２のその他の面にも設けることができる。前面に設けてもよい。
【００１７】
さらに、本実施の形態１の消臭容器に、消臭装置の出力を制御する出力制御システムを設けてもよい。消臭装置の出力を制御することにより、容器内を効率よく消臭することができる。臭いセンサーを設けてもよい。臭いの強さに応じて出力を制御すれば電力消費量を抑えることができる。
【００１８】
さらに、本実施の形態１の消臭容器に、消臭装置に電力を供給する蓄電池を備えていてもよい。蓄電池を備えることで、薄膜太陽電池が発電できないときも、消臭装置を駆動することができる。薄膜太陽電池が発電した電力を蓄電池にためるように構成してもよい。この場合、太陽電池が発電していない時間帯を含めて、太陽電池で発電した電力のみで消臭装置を駆動させることも可能となる。
【００１９】
＜実施の形態２＞
図２に、実施の形態２の消臭容器の模式的な図を示す。上記実施の形態１とは、容器２の形状と薄膜太陽電池３の配置位置が異なる。容器２の開口部は上面と前面の間にある。薄膜太陽電池３は、本実施の形態２では、容器２の上面および前面に設けられている。
【００２０】
容器２の上面に配置された薄膜太陽電池３の集積方向は、容器２の奥行方向と交差している。本実施の形態２の消臭容器も、ごみ容器として用いることができるので、上記実施の形態１と同様、開口部４のある容器の手前に人が立ってごみなどを投入し、薄膜太陽電池の容器手前側に影がかかる場合が想定される。薄膜太陽電池に影がかかった場合、薄膜太陽電池を構成する直列接続された光電変換素子のうち、１つの光電変換素子の全体が影に入ると電圧が低下するので、１つの光電変換素子の容器手前側が影に入っても奥側が影に入りにくいように配置することで、電圧の低下を抑制することができる。薄膜太陽電池３の集積方向が容器２の奥行方向と交差するように配置することにより、光電変換素子が容器の奥行き方向に長い形状となるので、光電変換素子の全体が影に入りにくくなる。また、本実施の形態２では、容器２の前面に配置された薄膜太陽電池３の集積方向についても、容器の奥行き方向に交差する方向に配置している。
【００２１】
これ以外は、上記実施の形態１と同様にして、消臭容器の形態とすることができる。
【００２２】
＜実施の形態３＞
図３および図４に、実施の形態３の消臭容器の模式的な図を示す。上記実施の形態１とは、容器２の形状と薄膜太陽電池３の配置位置が異なる。容器２の開口部は上面にあり、蓋６が設けられている。蓋６は、図４に示されるように可動式である。薄膜太陽電池３は、本実施の形態３では、蓋６の上面に設けられている。本実施の形態３の消臭容器も、ごみ容器として用いることができるので、上記実施の形態１と同様、容器の手前に人が立ってごみなどを投入し、薄膜太陽電池の容器手前側に影がかかる場合が想定される。薄膜太陽電池３の集積方向は、容器２の奥行き方向と交差しており、電圧の低下を抑制する構成となっている。
【００２３】
さらに、本実施の形態３では、容器の開口状態を検知するセンサー（図示せず）と、センサーの検知に基づいて消臭処置の駆動を制御する制御装置を備える。容器の開口状態に応じて、消臭装置の駆動を制御することで、容器内を効率よく消臭することができる。電力消費を抑えることもできるので、省エネになる。
【００２４】
また、図５に示す制御装置を設けてもよい。制御装置を使うと、薄膜太陽電池、開口検知機構および蓄電池を連携して消臭装置を駆動させることができるので、効率よく消臭することができる。また、蓄電池などを用いることで、薄膜太陽電池が発電できないときも消臭装置を駆動させることができる。そして、開口検知機構（センサー）により、消臭容器の開口状態を検知し、開口状態に応じて消臭装置の駆動を制御することができ、たとえば、開口状態にあって消臭効果が期待できないときは消臭装置の出力を抑制するなどすれば、消費電力を抑えることができる。
【００２５】
これ以外は、上記実施の形態１と同様にして、消臭容器の形態とすることができる。
【００２６】
＜実施の形態４＞
図６および図７に、実施の形態４の消臭容器の模式的な図を示す。上記実施の形態３とは、容器２の形状と薄膜太陽電池３の配置位置が異なる。容器２の上部に開口部があり、蓋６が設けられている。蓋６は図７に示されるように可動式である。消臭装置７は、図７に示されるように開口部付近の容器２の天井に設けられている。消臭装置７を開口部付近に設けることにより、容器の外に出る臭いを効率的に消臭することができる。薄膜太陽電池３は、本実施の形態５では、蓋６の表面に設けられている。フレキシブル薄膜太陽電池を用いることで、蓋の形状にあわせて配置することができる。また、蓋のような曲面に配置することで、太陽電池の設置面積を大きくすることができる。本実施の形態４の消臭容器は、たとえば、大型のごみ容器として用いることができ、上記実施の形態１と同様、容器の手前に人が立ってごみなどを投入し、薄膜太陽電池の容器手前側に影がかかる場合が想定される。薄膜太陽電池３の集積方向は、容器２の奥行き方向と交差しており、電圧の低下を抑制する構成となっている。
【００２７】
これ以外は、上記実施の形態３と同様にして、消臭容器の形態とすることができる。
【００２８】
＜実施の形態５＞
図８に、実施の形態５の消臭容器の模式的な図を示す。上記実施の形態３とは、容器２の形状と薄膜太陽電池３の配置位置が異なる。容器２の開口部は上面にあり、蓋６が設けられている。薄膜太陽電池３は、本実施の形態５では、蓋６に設けられている。本実施の形態５の消臭容器は、ごみ容器として用いることができる。
【００２９】
消臭装置８は、蓋６の裏側に設けられている。
【００３０】
これ以外は、上記実施の形態３と同様にして、消臭容器の形態とすることができる。
【００３１】
＜実施の形態６＞
図９に、実施の形態６消臭容器の模式的な図を示す。上記実施の形態３とは、容器２の形状と薄膜太陽電池３の配置位置が異なる。蓋６には開口部５がある。薄膜太陽電池３は、本実施の形態６では、蓋６および容器２の前面に設けられている。本実施の形態６の消臭容器は、たとえば、飲料容器専用のごみ容器として用いることができる。上記実施の形態３と同様、容器の手前に人が立ってごみなどを投入し、薄膜太陽電池の容器手前側に影がかかる場合が想定される。薄膜太陽電池３の集積方向は、容器２の奥行き方向と交差しており、電圧の低下を抑制する構成となっている。また、フレキシブル薄膜太陽電池を用いることで、蓋の形状にあわせて配置することができ、容器２の平面だけでなく、曲面にも配置することで、太陽電池の設置面積を大きくすることができる。容器の前面に設けた薄膜太陽電池３の集積方向も容器の奥行方向に交差する方向にしている。
【００３２】
これ以外は、上記実施の形態３と同様にして、消臭容器の形態とすることができる。
【００３３】
＜実施の形態７＞
図１０および図１１に、実施の形態７の消臭容器の模式的な図を示す。容器２の前面は開口部５となっており、扉６が設けられている。薄膜太陽電池３は容器２の上面に設けられている。薄膜太陽電池３は集積方向が容器の奥行き方向に交差するように配置している。消臭装置７は容器２の内部に設けられている。
【００３４】
本実施の形態の消臭容器は、ロッカーなどに用いることができる。消臭装置から容器内に供給される消臭効果のあるイオンやラジカルによって、容器内の消臭だけでなく、内容物である衣類などの脱臭することもできる。したがって、衣類の脱臭容器として用いることができ、衣類の臭いを低減することができる。
【００３５】
さらに、本実施の形態７では、容器の開口状態を検知するセンサーと、センサーの検知に基づいて消臭装置の駆動を制御する制御装置を設けてもよい。容器の開口状態に応じて、消臭装置の駆動を制御することで、容器内を効率よく消臭することができる。扉を閉めた状態で消臭装置の出力をあげれば効率よく内容物の脱臭を行うこともできる。また、扉が開いた状態のときに消臭装置の出力を抑えるようにするなどして、電力消費を抑えることもできる。
【００３６】
また、図５に示す制御装置を設けてもよい。制御装置は、消臭装置、薄膜太陽電池、開口検知機構およびその他の装置の１または複数を制御することができる。制御装置を使うと、薄膜太陽電池、開口検知機構および蓄電池を連携して消臭装置を駆動させることができるので、効率よく消臭することができる。また、蓄電池などを用いることで、薄膜太陽電池が発電できないときも消臭装置を駆動させることができる。そして、開口検知機構により、開口状態に応じて消臭装置の駆動を制御することができるので、省エネ運転も可能になる。
【００３７】
これ以外は、上記実施の形態１と同様にして、消臭容器の形態とすることができる。
【００３８】
以上のように各実施の形態について説明を行なったが、上述の各実施の形態の構成を適宜組み合わせることも当初から予定している。
【００３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４０】
１  消臭容器
２  容器
３  薄膜太陽電池
４  光電変換素子
５  開口部
６  蓋（扉）
７  消臭装置
【図１】
2016060587.tif 000003
【図２】
2016060587.tif 000004
【図３】
2016060587.tif 000005
【図４】
2016060587.tif 000006
【図５】
2016060587.tif 000007
【図６】
2016060587.tif 000008
【図７】
2016060587.tif 000009
【図８】
2016060587.tif 000010
【図９】
2016060587.tif 000011
【図１０】
2016060587.tif 000012
【図１１】
2016060587.tif 000013